(57)【要約】    【課題】  使用時においてスパイクピンを地面等に埋め込むような場合にも、スパイクピンの脱落を防いだり、スパイクピンの取り付け部分に過大な負荷がかかることを防いだりすることができ、かつ、単純な構造で安価な靴用装着補助具を提供する。    【解決手段】  靴を着脱自在に転載し得る敷板１に、スパイクピンを取り付け可能なピン孔５が設けられている靴用装着補助具１００において、ピン孔５の近傍に凹部３を形成したり、平滑なピン孔５を形成したりして、このピン孔部分に改良を加えたことを特徴とする。【選択図】  図１
2006006510.tif 000002
【特許請求の範囲】
【請求項１】
靴を着脱自在に転載し得る敷板を有し、当該敷板上に靴を固定して歩行することが可能な靴用装着補助具であって、
前記敷板には、スパイクピンを取り付け可能な平滑なピン孔が設けられていることを特徴とする靴用装着補助具。
【請求項２】
靴を着脱自在に転載し得る敷板を有し、当該敷板上に靴を固定して歩行することが可能な靴用装着補助具であって、
前記敷板には、頭部を有するスパイクピンを取り付け可能なピン孔が設けられ、
前記ピン孔の近傍には、前記敷板表面より窪んだ凹部が形成されていることを特徴とする靴用装着補助具。
【請求項３】
前記敷板の一端には、当該敷板に転載された靴の後方への係止を行うストッパー板が設けられていることを特徴とする請求項１又は２記載の靴用装着補助具。
【請求項４】
表面が平滑状の釘領域と表面が螺旋状のねじ領域とを有する軸部と、前記軸部より大径の頭部と、から形成された請求項１から３のいずれか記載の靴用装着補助具に使用するスパイクピン。
【請求項５】
表面が平滑状の釘領域と表面が螺旋状のねじ領域とを有する軸部と、前記軸部より大径の頭部と、から形成されたスパイクピン。
【発明の詳細な説明】
【技術分野】
【０００１】
本発明は、靴に着用して歩行することが可能な靴用装着補助具及び靴用装着補助具用のスパイクピンに関するものであって、特に、スパイクピンを取り付け可能に構成したものに関する。
【背景技術】
【０００２】
従来より、歩行する際に履く靴に何らかの補助具を装着することによって、様々な特徴を持たせるような靴用装着補助具が存在する。
【０００３】
例えば、特許文献１に記載の作業靴用装着補助具は、支持部にスパイクピンを取り付けた構造のものであり、作業靴用装着補助具を足本来の動きに適応した形状を形成ならしめることにより、非常に使い勝手の高いものを提供している。
【０００４】
また、特許文献２に記載の作業靴用装着補助具は、スパイク板にスパイクピンを取り付けた構造のものであり、特許文献１に記載のものと同様、足本来の動きを生かすことができ、作業性に優れたものを提供している。
【０００５】
このように、スパイクピンを取り付けた構造を採用する種々の作業靴用装着補助具が提供されており、その目的としては、塗床材、ゴム糊床材等の塗布後において未だ硬化していない状態にて使用者が作業する必要がある場合に、塗布面に靴跡を付けることを防止するためのものである。
【０００６】
そのため、スパイクピンを取り付ける着脱可能な構造としては、螺着によるものとなっており、例えば、特許文献１に記載の作業靴用装着補助具においては、支持部の所要位置に螺子孔を穿孔しており、これに雄螺子部を有するボルトを螺合するものである。
【０００７】
【特許文献１】特開２００４−３３６９５号公報（段落［０００１］〜［０００２］、［００１４］、図２）
【特許文献２】特開平７−１９４４１２号公報（段落［０００１］〜［０００２］、図２）
【発明の開示】
【発明が解決しようとする課題】
【０００８】
しかしながら、上述したスパイクピンの着脱構造は、使用時においてスパイクピンが地面や作業面等に埋め込まれないことを前提としているものであるため、簡易なスパイクピンの着脱ができる反面、使用時においてスパイクピンを地面等に埋め込むような場合には、スパイクピンの脱落が起こりやすいという欠点がある。特に、長いスパイクピンを使用して地面等に埋め込むような場合には、その脱落はさらに起こりやすくなる。
【０００９】
例えば、草や芝生の根が地面に張り巡らされている場所では、土中に穴を開けることで土中を耕すような方法が採られているが、従来の作業靴用装着補助具に取り付けられるスパイクピンでは長さが短すぎ、一方で、無理に長いスパイクピンを取り付けて使用した場合には、スパイクピンが土中で抜けたり、スパイクピンが取り付けられている螺旋部分に強度の負荷がかかって、かかる螺旋部分を破損させたりするという問題がある。
【００１０】
また、このような螺旋部分を有する作業靴用装着補助具は、螺旋部分の部品点数の増加等によって生産コストがかさむという問題がある。
【００１１】
本発明は、以上の点に鑑みてなされたものであり、その目的は、使用時においてスパイクピンを地面等に埋め込むような場合にも、スパイクピンの脱落を防いだり、スパイクピンの取り付け部分に過大な負荷がかかることを防いだりすることができ、かつ、単純な構造で安価な靴用装着補助具を提供することにある。
【課題を解決するための手段】
【００１２】
以上のような課題を解決するために、本発明は、靴を着脱自在に転載し得る敷板に、スパイクピンを取り付け可能なピン孔が設けられている靴用装着補助具において、このピン孔部分に改良を加えたことを特徴とする。
【００１３】
より具体的には、本発明は、以下のものを提供する。
【００１４】
（１）  靴を着脱自在に転載し得る敷板を有し、当該敷板上に靴を固定して歩行することが可能な靴用装着補助具であって、前記敷板には、スパイクピンを取り付け可能な平滑なピン孔が設けられていることを特徴とする靴用装着補助具。
【００１５】
本発明によれば、靴を着脱自在に転載し得る敷板に、スパイクピンを直接的に取り付け可能なピン孔が設けられており、このピン孔部分を平滑状にしたことから、従来の螺旋部分を有するピン孔に比べて、単純な構造で安価な靴用装着補助具を提供することができる。すなわち、従来は、スパイクピンを直接ピン孔（穴）に取り付けて固定する構造を採っており、かかるピン孔部分を螺旋状に形成する必要があるが、本発明は、スパイクピンをピン孔のみで固定するものではないことから、螺旋部分を形成するための特別の成型や螺旋部分の特別の部品が必要になることはない。
【００１６】
また、従来のものはねじ機能を利用して螺着するので、この螺旋部分に使用中の負荷がかかることになるが、本発明は、平滑なピン孔部分に使用中の負荷がかかることなく、後述するように、負荷のかかり具合が分散されることから、スパイクピンの取り付け部分に過大な負荷がかかることを防ぐことができる。
【００１７】
（２）  靴を着脱自在に転載し得る敷板を有し、当該敷板上に靴を固定して歩行することが可能な靴用装着補助具であって、前記敷板には、頭部を有するスパイクピンを取り付け可能なピン孔が設けられ、前記ピン孔の近傍には、前記敷板表面より窪んだ凹部が形成されていることを特徴とする靴用装着補助具。
【００１８】
本発明によれば、靴を着脱自在に転載し得る敷板に、頭部を有するスパイクピンを直接的に取り付け可能なピン孔が設けられており、このピン孔近傍を敷板表面より窪むように形成したことから、スパイクピンの頭部をピン孔近傍の凹部に収容してスパイクピンを取り付けることが可能で、この頭部と凹部との作用によって、使用時においてスパイクピンを地面等に埋め込むような場合にも、スパイクピンの脱落を防ぐことができる。
【００１９】
また、敷板表面より窪んだ凹部が形成されていることによって、敷板に頭部を有するスパイクピンを取り付けるときに、頭部が敷板表面から突出しないようにすることができることから、靴を装着して歩行する際でも、頭部が靴底にあたって足を刺激するといった違和感がなく、使い勝手のよい靴用装着補助具を提供することができる。
【００２０】
（３）  前記敷板の一端には、当該敷板に転載された靴の後方への係止を行うストッパー板が設けられていることを特徴とする靴用装着補助具。
【００２１】
本発明によれば、敷板に転載された靴の後方への係止を行うストッパー板が設けられていることから、靴の前方にあそびを残しつつも、靴の後方を係止することによって、歩行しやすく、使い勝手のよい靴用装着補助具を提供することができる。
【００２２】
すなわち、前進歩行をする場合には、人間の重心が前身よりになることから、靴の前方にあそびを残しておく必要があるために、本発明では靴の後方を係止するストッパー部材を設けている。一方で、歩行が一番の目的ではない専ら作業用の場合には、ストッパー部材で靴の前方への係止を行うことが最適である（特開平６−４７５０３号公報参照）。
【００２３】
（４）  表面が平滑状の釘領域と表面が螺旋状のねじ領域とを有する軸部と、前記軸部より大径の頭部と、から形成された靴用装着補助具用のスパイクピン。
【００２４】
本発明によれば、大径の頭部と、それよりも小径の軸部と、から形成されたスパイクピンを上記（１）から（３）に記載の靴用装着補助具の用途に提供することで、使用時においてスパイクピンを地面等に埋め込むような場合にも、スパイクピンの脱落を防いだり、スパイクピンの取り付け部分に過大な負荷がかかることを防いだりすることができる。
【００２５】
（５）  表面が平滑状の釘領域と表面が螺旋状のねじ領域とを有する軸部と、前記軸部より大径の頭部と、から形成されたスパイクピン。
【００２６】
本発明によれば、特に靴用装着補助具の用途に提供することで、使用時においてスパイクピンを地面等に埋め込むような場合にも、スパイクピンの脱落を防いだり、スパイクピンの取り付け部分に過大な負荷がかかることを防いだりすることができる。
【発明の効果】
【００２７】
以上説明したように、本発明は、ピン孔の近傍に凹部を形成したり、平滑なピン孔を形成したりして、ピン孔部分に改良を加えることで、使用時において、スパイクピンの脱落を防いだり、ピン孔部分に負荷がかかることを防止し、かつ、単純な構造で安価な靴用装着補助具及び靴用装着補助具用のスパイクピンを提供することができる。
【発明を実施するための最良の形態】
【００２８】
以下、本発明を実施するための最良の形態について、図面に基づいて説明する。
【００２９】
［敷板の構成］
図１は、本発明の実施の形態に係る靴用装着補助具１００の敷板１の構成を示す図であり、図１（ａ）は敷板１の正面図、図１（ｂ）は敷板１の背面図である。
【００３０】
敷板１は、ピン孔５と、ストッパー板７と、貫通孔９と、が設けられている。ピン孔５及び貫通孔９は、敷板１の裏表面を貫通して孔が形成され、ストッパー板７は、敷板１の表面側に設けられている。
【００３１】
ピン孔５について、その径は、スパイクピン２００の軸部２２の径よりも大きく形成されている。すなわち、かかるピン孔５によって直接スパイクピンを固定する構造ではないために、使用時においてスパイクピンを地面等から抜き差しする際に生じるスパイクピンのぐらつきによって、ピン孔５に負荷がかかることを防ぐことができる。かかるピン孔５は、スパイクピンが挿入できる形状であればいかなるものであっても構わないが、平滑状にする（何の形状もつけない）ことで、敷板１の成型が容易であって、単純な構造で安価な靴用装着補助具を提供することができる。
【００３２】
個々のピン孔５の周囲近傍には、敷板１の表面より窪んだ凹部３が形成されている（図１（ａ）、図２参照）。この凹部３は、スパイクピンの頭部を収容してスパイクピンを取り付けることを可能にするもので、少なくとも頭部の長さ以上の深さを有するものであればよい。
【００３３】
ストッパー板７は、敷板に転載された靴の後方への係止を行うものであり、敷板１の形状に沿って設けられている。使用者は、かかるストッパー板７に靴の後方を合わせて靴を固定することにより、靴の後方への位置ズレを最小限に抑えつつ、歩行しやすい状態を維持することができる。すなわち、かかるストッパー板７によって、靴を着脱自在に転載し得る敷板１と、当該敷板の一端に凸設してあるストッパー板７と、を有する靴用装着補助具１００の使用方法であって、敷板１上に靴を固定して歩行するときに、ストッパー板７は、敷板１に転載された靴の後方への係止を行うことを特徴とする靴用装着補助具１００の使用方法を提供することができる。
【００３４】
貫通孔９は、靴を靴用装着補助具１００に固定する際に用いるベルトを通すためのものである。靴を確実に固定するためには、靴の後方側を固定する一対の貫通孔と、靴の前方側を固定するための一対の貫通孔と、が必要となるが、靴の前方側を固定するための一対の貫通孔を複数設けることによって、靴の大きさに応じた固定が可能となる。すなわち、使用者は、ストッパー板７に靴の後方を合わせて靴を固定する際に、靴の大きさによって敷板１と靴の前方との相対的位置関係が異なることとなるが、靴の前方側を固定するための一対の貫通孔を複数設けることによって対応することが可能となる。
【００３５】
［スパイクピンの構成］
図３は、本発明の実施の形態に係るスパイクピン２００の構成を示す図である。
【００３６】
スパイクピン２００は、頭部２１と、軸部２２と、から形成されており、軸部２２は、表面が平滑状の釘領域２２ｂと表面が螺旋状のねじ領域２２ａとを有する。スパイクピン２００の材質は、アルミ、強化プラスチック、鋼鉄、ステンレス等が挙げられる。
【００３７】
頭部２１は、その径が軸部２２より大径となるように形成されており、例えば頭部が六角形形状を呈する六角ボルトや、頭部が皿型を呈する皿ボルト、その他キャップを有する各種のキャップボルトが挙げられる。
【００３８】
軸部２２は、そのねじ領域２２ａにナット（六角ナット）を螺着することができる。ねじ領域２２ａと釘領域２２ｂとの割合については特に限定するものではないが、敷板１とナットとでスパイクピン２００を取り付けたときに、ねじ領域２２ａがナットの位置から出ないようにすることが好ましい。ねじ領域２２ａがナットの位置から出ていると、地面等を歩行したときに、ねじ溝の部分に土が付着して、手入れが面倒になるからである。
【００３９】
［使用方法］
図４は、本発明の実施の形態に係る靴用装着補助具１００の使用方法を説明するための図であって、敷板１にスパイクピン２００及びナット２０１を取り付ける状態を示す図である。
【００４０】
まず、敷板１に設けられているピン孔５にスパイクピン２００を貫入し、頭部２１が凹部３に収容された状態となる。スパイクピン２００の貫入は、大径の頭部２１の存在から、敷板１の表面（図の上方向）から行うこととなる。なお、フランジ付きナットを頭部として使用する場合には、スパイクピン２００を敷板１の裏面から貫入し、スパイクピンの軸部のねじ領域２２ａの先端にフランジ付きナットを螺着することもできる。
【００４１】
次に、スパイクピンの軸部２２の釘領域２２ｂからねじ領域２２ａに向かって、ナット２０１を貫入し、ねじ領域２２ａにて螺着する。この際、敷板１に取り付けたスパイクピン２００がぐらついたりしないように、頭部２１とナット２０１とで、凹部３の底面を締め付けるように螺着する。なお、締め付けに際して座金を使用することで、強固に締め付けることが可能となる。
【００４２】
このようにして、スパイクピン２００が取り付けられた敷板１を有する靴用装着補助具１００は、貫通孔９にベルトを通して靴を固定することで、歩行することができる。なお、靴の固定に際して、ベルトにワンタッチバックルを使用することで靴の着脱をより簡易化することができる。
【００４３】
実際に靴用装着補助具１００を使用して地面を歩行する場合に、地面にスパイクピンが刺さるときには、スパイクピンが地面に反する上方への力が働くことになるが、スパイクピンを取り付けているナット２０１と敷板裏面との作用によって、その力が抑制されることとなる。一方で、地面からスパイクピンが抜けるときには、地面がスパイクピンに反する下方への力が働くことになるが、スパイクピンを取り付けている頭部２１と凹部３底面との作用によって、その力が抑制されることとなる。
【００４４】
このように、従来は１箇所に集中していた負荷のかかり具合が、本発明によれば負荷のかかり具合が分散されることから、スパイクピンの取り付け部分に過大な負荷がかかることを防ぐことができる。
【００４５】
また、スパイクピン２００が取り付けられた敷板１を有する靴用装着補助具１００を収容する場合には、裏面同士を対向させておくことで、スパイクピン２００の釘が人体に刺さったりするなどの事故を防止することができる。すなわち、スパイクピンが予め取り付けられた敷板を有する靴用装着補助具の収容方法であって、前記靴用装着補助具一対の裏面同士を対向させたときに、互いのスパイクピンが障壁とならない態様で前記一対の靴用装着補助具を収容する靴用装着補助具の収容方法を提供することができる。また、靴を着脱自在に転載し得る敷板を有し、当該敷板にスパイクピンが取り付け可能なピン孔が設けられている靴用装着補助具であって、当該靴用装着補助具一対の裏面同士を対向させたときに、前記ピン孔が重複しないように配設されている靴用装着補助具を提供することができる。
【００４６】
本発明の実施の形態に係る靴用装着補助具１００は、靴を着脱自在に転載し得る敷板１を有し、当該敷板１上に靴を固定して歩行することが可能な靴用装着補助具１００であって、前記敷板１には、頭部２１を有するスパイクピン２００を取り付け可能なピン孔５が設けられ、前記ピン孔５の近傍には、前記敷板表面より窪んだ凹部３が形成されており、スパイクピンの頭部２１が前記凹部３に収容され、スパイクピンの軸部２２に螺着されたナット（締結部材）２０１と前記頭部２１との締め付け作用により、スパイクピン２００が取り付けられた靴用装着補助具１００である。
【産業上の利用可能性】
【００４７】
本発明は、靴に着用して歩行することが可能な靴用装着補助具及び靴用装着補助具用のスパイクピンに関し、塗床材、ゴム糊床材等の塗布後において未だ硬化していない状態にて作業する必要がある場合に、塗布面に靴跡を付けることを防止するために靴に着用して歩行したり、草や芝生の根が地面に張り巡らされている場所で、靴に着用して歩行することで、土中に穴を開けて土中を耕したりすることができる。
【図面の簡単な説明】
【００４８】
【図１】本発明の実施の形態に係る靴用装着補助具の敷板の構成を示す図。
【図２】図１に示す敷板のＡ−Ａ'断面図。
【図３】本発明の実施の形態に係るスパイクピンの構成を示す図。
【図４】本発明の実施の形態に係る靴用装着補助具の使用方法を説明するための図。
【符号の説明】
【００４９】
１  敷板
３  凹部
５  ピン孔
７  ストッパー板
９  貫通孔
１００  靴用装着補助具
２００  スパイクピン
２０１  ナット
【図１】
2006006510.tif 000003
【図２】
2006006510.tif 000004
【図３】
2006006510.tif 000005
【図４】
2006006510.tif 000006